(57)【特許請求の範囲】
【請求項１】
接眼レンズを備え引出しや押し込み操作によって摺動し拡大倍率を可変とした鏡筒と、対物レンズを備える対物鏡筒を内蔵しフォーカシング操作機構を設けた対物鏡筒収容部と、観察対象照明用の光源と、前記光源の電源としての電池を収容する電池室とを備え、
外周に弾性材で形成し表面が適度の摩擦係数を備えたＯリングを巻回した対物鏡筒収容部の外周に、前記鏡筒内周が嵌合して摺動することで任意位置を選択保持可能となるとともに、前記鏡筒を押し込んだ場合、前記鏡筒先端は前記電池室の上端のレベルまで格納できることを特徴とする顕微鏡。
【請求項２】
観察対象照明用の光源の外方にはフィルタを備え、前記フィルタは前記光源の色特性を補正するとともに、一端を軸支されて回動可能とし、電球交換に対応するものであることを特徴とする請求項１に記載の顕微鏡。
【請求項３】
対物鏡筒収容部先端及び照明用の光源先端の周囲には透明材で形成したフードを着脱可能に備え、前記フードの側壁の一部にはフード内に配置した観察対象物の位置や姿勢の変更操作を行うための切欠きを備えることを特徴とする請求項１または２いずれかに記載の顕微鏡。
【発明の詳細な説明】
【０００１】
【発明の属する技術分野】
本発明は顕微鏡に関し、特に小型で携帯に適した顕微鏡に関する。
【０００２】
【従来の技術】
小型、軽量であり、携帯に適した顕微鏡は従来から実用化されており、例えば、実公昭６０−１５４９１２号公報に記載されているようなものがある。図１１はそのような顕微鏡の外観図である。このような顕微鏡においては、接眼レンズ８００を備えた鏡筒１００に倍率調整用の鏡筒２００が摺動可能に嵌合、さらにこの倍率調整用の鏡筒２００の先端に対物レンズを備えた鏡筒３００が微調整機構５００を介して移動可能に配備されている。また、対物レンズ鏡筒３００の先端にはプレパラート取付具を兼ねたフード６００が透明樹脂等で形成され取り付けられていて、観察対象物体を照明する光を外部から採り入れられるようになっている。
【０００３】
【発明が解決しようとする課題】
このような従来の顕微鏡において、倍率調整用の鏡筒の位置を調整して所望の倍率を得ようとする場合、鏡筒相互に凹凸関係等による停止位置規制機構７００を設け、所望の倍率を得るようにしている。このため、構造が複雑化し、コストに影響を及ぼす問題がある。
【０００４】
また、対物レンズの先端のフードは、透明ではあるが周囲が閉鎖状態であるので、フード内に置かれた観察対象物体を微小に移動させたり、姿勢を変えようとする際、いちいち顕微鏡全体を上方へ持ち上げなくてはならず、その結果再度焦点を合わせなくてはならない等、手間がかかるものであった。
【０００５】
また、外部からの光が得られない場合のために、電池による照明装置を備えた携帯用の顕微鏡も実用化されているが、このようなものにおいては照明用の電球の電源となる電池を収容する電池室のスペースが大きかったり、高倍率を得るために顕微鏡が長くなるなどの問題点があり、携帯に不都合なものとなっている。
【０００６】
さらに、電池を電源とした照明装置には、小型の白熱電球が好適に使用されるので、被検物体は赤っぽく見え、実態の色として見えないという問題も存在する。
【０００７】
本発明はこのような従来の顕微鏡の抱える諸問題を解決して、使い勝手が良く、携帯性に優れた顕微鏡を提供することを目的とする。
【０００８】
【課題を解決するための手段】
上記目的を達成するために本発明の顕微鏡は、接眼レンズを備え引出しや押し込み操作によって摺動し拡大倍率を可変とした鏡筒と、対物レンズを備える対物鏡筒を内蔵しフォーカシング操作機構を設けた対物鏡筒収容部と、観察対象照明用の光源と、前記光源の電源としての電池を収容する電池室とを備え、外周に弾性材で形成し表面が適度の摩擦係数を備えたＯリングを巻回した対物鏡筒収容部の外周に、前記鏡筒内周が嵌合して摺動することで任意位置を選択保持可能となるとともに、前記鏡筒を押し込んだ場合、前記鏡筒先端は前記電池室の上端のレベルまで格納できるものである。
【０００９】
これにより、たばこのケース状のコンパクトな形状、大きさとすることができ、胸ポケット等に容易に入れられる携帯性に優れた顕微鏡を提供することができ、Ｏリングを巻回した対物鏡筒収容部の外周に、前記鏡筒内周が嵌合して摺動することで任意位置を選択保持可能とすることができる。
【００１０】
また、観察対象照明用の光源の外方にはフィルタを備え、前記フィルタは前記光源の色特性を補正するとともに、一端を軸支されて回動可能とし、電球交換に対応するものであることが望ましい。
【００１１】
また、対物鏡筒収容部先端及び照明用の光源先端の周囲には透明材で形成したフードを着脱可能に備え、前記フードの側壁の一部にはフード内に配置した観察対象物の位置や姿勢の変更操作を行うための切欠きを備えることが望ましい。
【００１２】
【発明の実施の形態】
本発明の顕微鏡は、観察対象の照明用に小型電球を備え、その電源に電池を用いたものである。電池は、一般の電池と比較して小型で容量が大きく、しかも長寿命なリチウム電池がこのような用途に最適であり、リチウム一次電池でも二次電池でも良いが、リチウム一次電池ＣＲ１２３Ａなどを用いると入手も容易であるので望ましい。今後、電池の開発が進むことにより、より小型・高容量の電池が当然出てくると思われるが、本発明の顕微鏡にそれらの電池を用いるとさらに小型化でき、最適であることは言うまでもない。
【００１３】
また、接眼レンズを備える鏡筒を摺動させることによって拡大倍率を選択可能とし、この鏡筒を電池室の高さと同レベルまで押し込んで格納状態とするが、電池室に装填される電池は前記のように小型のリチウム電池であるので、全体を小型のコンパクトなものとすることができる。
【００１４】
そして可動側の鏡筒は固定側の対物レンズ鏡筒を収容する対物鏡筒収容部の外周の弾性材Ｏリングと内周を接してスライドするようにする。Ｏリングはゴム等の弾性材で形成するとともにその外面を適当な摩擦係数が得られるように加工しておく。このようにすることで倍率設定がスムーズに行え、その状態を維持することも確実となる。
【００１５】
光源の電球の特性は光学フィルタで補正し、赤っぽくならないようにする。またこのフィルタは電球交換を考慮して一端を軸支されて回動可能としておき、必要時に回動させて電球が露出するようにする。また、対物レンズ及び照明用電球の前方周囲四方を囲繞し、着脱可能な透明なフードを設け、このフードの側壁の一部には、ピンセット等が挿入可能な切欠きを設けて観察対象の微小な移動や姿勢変更等を容易に行えるようにする。
【００１６】
【実施例】
図１から図１０を用いて本発明の一実施例を示す。図１は全体を説明するための断面図、図２は同外観の正面図であり、１は樹脂製の本体で、対物レンズ１２ａを含む対物鏡筒１２ｂを収容する対物鏡筒収容部１２や照明用の豆球７の電源となる電池ＢＡＴＴを収容する電池室１３などを備える。２は接眼レンズ２ｂ、２ｃを取り付けた接眼筒２ｅを備え、光軸方向にスライド可能な鏡筒、３は本体１の下端に対し着脱可能で、透明材で形成されたフード、４は本体１と同材料で形成され、本体１に備える電池室１３内に装填する電池ＢＡＴＴを出し入れする本体１に対し着脱可能な電池蓋である。各部の内部詳細は順次後述するとして、外観的な構成から説明する。
【００１７】
前記の図１、図２は鏡筒２が引き出された状態が図示されているが、図３から図８には鏡筒２を格納状態とした外観図が示してある。鏡筒２は本体１に設けられている対物鏡筒収容部１２の外周に嵌合し、摺動可能となっており、携帯時等の不使用時には摺動下降させて格納し、図３の正面図、図４の裏面図、図５の左側面図、図６の右側面図に見られるように、その上端は電池室１３の電池蓋４の上端と一致するレベルまで格納される。図７は下面図、図８は上面図である。このように、格納時は全体にたばこのケース状のコンパクトな形状、大きさとしてある。
【００１８】
図９は本体１から鏡筒２、フード３、電池蓋４を取り外した状態を示す。また、図１０は、本発明の顕微鏡を分解斜視図としたものである。前記の図１と、この図９及び図１０を用いて各部の内部詳細を説明する。
【００１９】
本体１は、組立及び成形上の都合から図１０のように概ね前後対称に２分されている。一方を本体１Ａ、他方を本体１Ｂとして図１０に図示するが、両者は内部の要素を組み付けた後、接着あるいは凹凸関係の結合手段によって組み立てて結合されるようになっている。
【００２０】
本体１Ａ、１Ｂにおいて、１１はベース部であり、ベース部１１から上方へ向け対物鏡筒収容部１２と、電池室１３とが一体に延設されている。また、ベース部１１から下方へ向けフード取付部１４が一体に延設されている。
【００２１】
対物鏡筒収容部１２内には、対物レンズ１２ａ、対物鏡筒１２ｂ、そして調整ツマミ１２ｃが組み付けられる。対物レンズ１２ａは対物鏡筒１２ｂの先端に固定され、対物鏡筒１２ｂはその外周に備えるネジ部１２ｄが調整つまみ１２ｃの内周に備える図示しないネジ部と螺合して、調整つまみ１２ｃを回すことで対物レンズ１２ａの位置が光軸方向に移動しフォーカシングを行う。このようなフォーカシング機構は公知であるので、詳述は省略する。
【００２２】
電池室１３は、ＣＲ１２３Ａ等の３Ｖ型のリチウム電池を使用するような形状、大きさに設定してある。そして電池室１３内には、電池リード１３ａ、豆球端子１３ｂ、スイッチばね１３ｃが組み付けられる。また、７は豆球であり、装着時、その端子は豆球端子１３ｂなどに接触して通電され照明用となる。
【００２３】
また、ベース部１１の側面にはスイッチスライド５を取り付けるための穴１１ａが形成されており、取り付け後、このスイッチスライド５をスライド操作することで電池室１３内の電池リード１３ａ、豆球端子１３ｂ、スイッチばね１３ｃに係合して豆球７への通電をオン、オフする。これらの構造は、例えば携帯用電灯などで公知であるので回路図を含めて記述を省略する。
【００２４】
６はフィルタである。ベース部１１の下方のフード取付部１４内において、一端を軸支されて回動可能に取り付けられて、回動させて装着状態とした場合、フィルタ６は白熱電球である豆球の光の色特性を自然光に近い色温度とするような色の透明材で形成されている。
【００２５】
鏡筒２も、組立及び成形上の都合から図１０のように概ね前後対称に２分されている。一方を鏡筒２Ａ、他方を鏡筒２Ｂとするが、両者は内部の要素を組み付けた後、接着あるいは凹凸関係の結合手段によって組み立てられる。
【００２６】
鏡筒２には、下方から順に、ブッシュ２ａ、接眼レンズ２ｂ、スプリング２ｃ、接眼レンズ２ｄ、接眼筒２ｅ、鏡筒キャップ２ｆが組み付けられる。
【００２７】
３は前記のように本体１の下端のフード取付部１４に対し嵌合する形状寸法の嵌合部３ｂを用いて着脱可能であって無色の透明材で形成されたフードであり、机上等に置いた被検査物を前後左右からの四方を囲繞し、かつ外光を採り入れて照明するような形状であるが、短辺側の側壁に切欠き３ａを備える。
【００２８】
８はＯリングである。ゴム等の弾性材で形成され、対物鏡筒収容部１２の上端に近い位置に設けたリング状の溝１２ｄに嵌装する。
【００２９】
以上のような構成の顕微鏡は、次のように使用される。フード３内に被検査物体を配置し鏡筒２を摺動させ、図２乃至図３に見られるような、電池蓋４の複数箇所の倍率表示Ｂの中の所望のものに、鏡筒２の矢印Ｐを合わせ、鏡筒２の上端の鏡筒キャップ２ｆから観察しながら、調整つまみ１２ｃを回して焦点を合わせる。フード３は透明であるので、外光が充分の場合は観察が可能である。
【００３０】
外光が不足する場合は、この顕微鏡が備える照明装置を利用する。電池蓋４を開閉して電池室１３内にＣＲ１２３Ａ等のリチウム電池を装填する。スイッチスライド５を摺動操作してスイッチばね１３ｃを変位させ、豆球７に通電し、被検査物体を照明し観察する。この際、フィルタ６が豆球７と被検査物体との間に介在することになるが、前記したようにフィルタ６は豆球７の発する光の色を自然光に近い色温度とするような色の透明材で形成されているので、自然な観察が可能となる。
【００３１】
観察中に観察対象の被検査物体を微小に動かしたい場合がある。このような時は、フード３に設けた切欠き３ａからピンセット等を挿入して移動させたり、姿勢を変えたりすることができる。
【００３２】
豆球７の断線等の場合はフィルタ６を回動させ、豆球７を露出させることによって交換作業が容易である。
【００３３】
観察終了後は、スイッチスライド５を操作して豆球７の通電をオフとし、鏡筒２を最下端まで下降させ格納する。格納状態は前記したように鏡筒２の上端が電池蓋４の上端と一致するレベルまで格納されるので、たばこのケース状のコンパクトな大きさとなり、携帯や収納に至便である。
【００３４】
なお、前記の説明では、調整つまみ１２ｃのフォーカシング操作によって光軸方向に変位する対物レンズ１２ａを配置した鏡筒を対物鏡筒１２ｂとし、これを収容する本体１の部分を対物鏡筒収容部１２という名称で説明したが、これは便宜上のものであって、これら全体を対物鏡筒という呼び名であっても同様な意味である。
【００３５】
【発明の効果】
以上のように本発明によれば、検体照明用の光源の電源として、リチウム電池などの小型、高容量の電池を使用するとともに、鏡筒を押し込んで下降させ、鏡筒上端を電池室の高さに等しい位置まで格納するようにしたので、顕微鏡全体が小型なものとなり、携帯や収納に都合のよいものとなる大きな効果が得られる。
【００３６】
また、倍率可変のために引き出したり押し込んだりする鏡筒は、固定側の鏡筒またはその収容部の外周に巻回したＯリングに接して摺動するようにしたので、摺動動作が円滑であり、しかも任意位置で停止させることができ、変倍操作がすこぶる容易であるとともに、コスト低減を計ることができる。
【００３７】
また、照明用の電球の色特性を補正するフィルタを設けたので、観察対象を自然な色で照明することができ、さらにこれを回動可能としたので豆球の交換も至極容易な作業とすることができる。
【００３８】
また、観察対象の四方を囲むフードには、切欠きを設けたので、観察対象を微小に移動させたり、角度を変えたりしたい場合に、この切欠きを用いて作業することができ、従来のようにその都度顕微鏡全体を持ち上げる必要がなく、焦点合わせを再度行う必要もなく、観察の効率アップに貢献することができる。
【図面の簡単な説明】
【図１】本発明の実施例の正面断面図
【図２】本発明の実施例の正面図
【図３】本発明の実施例の正面図
【図４】本発明の実施例の裏面図
【図５】本発明の実施例の側面図
【図６】本発明の実施例の側面図
【図７】本発明の実施例の下面図
【図８】本発明の実施例の上面図
【図９】本発明の実施例の一部を取り外した正面図
【図１０】本発明の実施例の分解斜視図
【図１１】従来の顕微鏡の外観図
【符号の説明】
１          本体
２          鏡筒
２ｂ、２ｄ  接眼レンズ
２ｃ        スプリング
３          フード
４          電池蓋
５          スイッチスライド
６          フィルタ
７          豆球
８          Ｏリング
１１        ベース部
１２        対物鏡筒収容部
１２ａ      対物レンズ
１２ｂ      対物鏡筒
１２ｃ      調整つまみ
１３        電池室
ＢＡＴＴ    電池
【図１】
0004461547.tif 000002
【図２】
0004461547.tif 000003
【図３】
0004461547.tif 000004
【図４】
0004461547.tif 000005
【図５】
0004461547.tif 000006
【図６】
0004461547.tif 000007
【図７】
0004461547.tif 000008
【図８】
0004461547.tif 000009
【図９】
0004461547.tif 000010
【図１０】
0004461547.tif 000011
【図１１】
0004461547.tif 000012